(57)【要約】【課題】  ふすまを、その使用を妨げることなく、保護、装飾すること。【解決手段】  建具カバー１を構成するカバー部材２をふすま１００にかぶせる。そして、そのままの状態でふすま１００を敷居および鴨居に戻す。カバー部材２は薄いシート材で構成されているため、ふすま１００の開け閉めを妨げることはなく、通常通りこのふすまを使用することができる。ふすまの開け閉めは、ふすま１００の引き手金具１０６に代わって、カバー部材２に設けられた持ち手３を持って行う。持ち手３は十分薄く且つ変形自在に構成されているため、この持ち手３が他のふすまとぶつかって開け閉めの障害となることはない。この状態において、建具カバー１特にカバー部材２が、このふすまの側面（化粧紙）を保護し、汚れ、傷から守る。不要になった場合、建具カバー１をふすまから外すだけでふすまは元の状態に戻る。【選択図】  図２
2005179932.tif 000002
【特許請求の範囲】
【請求項１】
引き戸に装着されて用いられる建具カバーにおいて、
引き戸の側面の少なくとも一部を被うための被覆壁を少なくとも一つ備えて構成された被覆部材と、
前記被覆部材が装着され且つ敷居および鴨居にはめ込まれた状態の引き戸を人が開閉させる際に、手で把持されあるいは手がかけられる持ち手部と、
を備えたことを特徴とする建具カバー。
【請求項２】
前記被覆壁が前記引き戸の側面を覆い該側面から離間することがないように前記被覆部材を前記引き戸に装着する装着手段を備えたこと、
を特徴とする請求項１記載の建具カバー。
【請求項３】
引き戸に装着された状態において、前記被覆部材は、その一部が前記引き戸の上面に掛けられていること、
を特徴とする請求項１または２に記載の建具カバー。
【請求項４】
前記被覆部材は、所定の展開形状のシート材を用いて構成されており、且つ、前記引き戸の上面に掛けられる上面対応領域と二つの前記被覆壁とを備え、
二つの前記被覆壁は、前記展開形状において前記上面対応領域を介して互いにつながっていること、
を特徴とする請求項１、２、３のいずれか一つに記載の建具カバー。
【請求項５】
引き戸にかぶせられて該引き戸の側面の少なくとも一部を覆う被覆部材と、
前記被覆部材がかぶせられ且つ敷居および鴨居にはめ込まれた引き戸を人が開閉させる際に、手で把持されあるいは手がかけられる持ち手部と、
を備えたことを特徴とする建具カバー。
【請求項６】
前記被覆部材は、
所定の展開形状のシート材を用いて構成されており、
且つ、前記引き戸の上面に掛けられる上面対応領域と、前記展開形状において該上面対応領域を介して互いにつながった、引き戸の側面の少なくとも一部を被うための二つの被覆壁とを備えること、
を特徴とする請求項５に記載の建具カバー。
【請求項７】
前記被覆部材の少なくとも一部は、ポリオレフィン系樹脂を含んで構成されていること、
を特徴とする請求項１、２、３、４、５、６のいずれか一つに記載の建具カバー。
【請求項８】
前記被覆部材の少なくとも一部は、ポリプロピレンを含んで構成されていること、
を特徴とする請求項１、２、３、４、５、６のいずれか一つに記載の建具カバー。
【請求項９】
前記被覆壁の少なくとも一部は、厚さ0.1ｍｍ以上0.4ｍｍ以下であること、
を特徴とする請求項１、２、３、４、５、６、７、８のいずれか一つに記載の建具カバー。
【請求項１０】
前記被覆壁の少なくとも一部は、厚さ0.2ｍｍ以上0.3ｍｍ以下であること、
を特徴とする請求項１、２、３、４、５、６、７、８のいずれか一つに記載の建具カバー。
【請求項１１】
前記持ち手部は、変形自在であること、
を特徴とする請求項１、２、３、４、５、６、７、８、９、１０のいずれか一つに記載の建具カバー。
【請求項１２】
前記持ち手部は、前記被覆壁に対する角度が変更自在であること、
を特徴とする請求項１、２、３、４、６、７、８、９、１０のいずれか一つに記載の建具カバー。
【請求項１３】
前記持ち手部は、柔構造であること、
を特徴とする請求項１、２、３、４、５、６、７、８、９、１０のいずれか一つに記載の建具カバー。
【請求項１４】
シート状の部材を引き戸の上端から掛けることで、該引き戸の側面を該部材によって覆うとともに、該部材を掛けた状態を保ったままで該引き戸を敷居および鴨居にはめて使用すること、
を特徴とする引き戸の保護および／または装飾方法。
【請求項１５】
前記使用の状態において、前記部材には前記引き戸が開閉される際に人が手で把持されあるいは手が掛けられる持ち手部が設けられていること、
を特徴とする請求項１４に記載の引き戸の保護および／または装飾方法。
【請求項１６】
前記引き戸の表裏両側において垂れ下がる前記部材を該引き戸の側端面部において互いに留めるか、あるいは、垂れ下がる該部材を側端面部において前記引き戸に留めることで、該部材が前記引き戸から離間することを防止すること、
を特徴とする請求項１４または１５に記載の引き戸の保護および／または装飾方法。
【請求項１７】
引き戸の上面に固定され、且つ、該固定された状態において該引き戸の上面と鴨居との隙間に収容可能な形状の被固定基部と、
前記被固定基部から連なって延びており、前記被固定基部が前記引き戸の上面に固定された状態において前記引き戸と前記鴨居との隙間を通って前記引き戸の側面側に延びた吊支部と、
前記吊支部に設けられた、所望の物品が係止される係止部と、
を備えたことを特徴とする引き戸への物品係止具。
【請求項１８】
前記被固定基部を前記引き戸の前記上面に固定する固定機能部を有すること、
を特徴とする請求項１７に記載の物品係止具。
【請求項１９】
物品の一端を引き戸の上面に掛けあるいは固定するとともに、該引き戸を敷居および鴨居にはめることで該一端を該引き戸の上面と鴨居との隙間に位置させて、該物品を該引き戸に掛けること、
を特徴とする引き戸への物品係止方法。
【請求項２０】
引き戸の上面と鴨居との隙間に物品の一端を挟み込むことで、該物品を該引き戸に掛けること、
を特徴とする引き戸への物品係止方法。
【発明の詳細な説明】
【技術分野】
【０００１】
本発明は、ふすま、ドアなどの引き戸を保護、装飾するための、建具カバー、引き戸の保護および／または装飾方法に関する。また、引き戸へ物品を掛けるための物品係止具および物品係止方法に関する。
【背景技術】
【０００２】
一般に、住宅では、各部屋、廊下などを仕切るために、ふすま、ドアなどが用いられている。これらは、住宅内装の一部として、美しく意匠が施されている。
【０００３】
また、部屋を使用する実際の場面においては、部屋の壁面、鴨居等にフック等の物品係止具を取り付け、これに様々な物品（例えば、帽子、カバン、状差し）を掛けることが普通に行われている。
【発明の開示】
【発明が解決しようとする課題】
【０００４】
しかし、ふすま、ドアなどの意匠が、汚されてしまうことがあった。特に、幼児、子供のいる家庭では、落書き、いたずら等によって、これらが汚されてしまう。これを防止するには幼児期からのしつけによるしかないが、これを徹底するのは困難であった。過度のしつけ、制限は、子供の創造性を阻害することにもなりかねない。また、子供に対する制限を必要最小限に抑え、自由にのびのびと子供を育てたいという考えにも反する。
【０００５】
ふすまについては、ふすま紙を張り替えることも考えられる。しかし、落書き等がされる度に張り替えるのは実際上面倒である。逆に、幼児が十分に成長するまで、ふすま等が汚されたままの状態にしておくことにも抵抗感があった。このほかにも、室内でなんらかの作業などを行う場合にも、ふすま等を汚しやすいという問題があった。
【０００６】
子供による落書き等に対処するための技術としては、例えば下記特許文献１に記載されている技術があげられる。しかし、この技術では以下のような問題があった。すなわち、落書きに有効に対処するためには、ある程度の高さ位置までふすまを被う必要がある。しかし、被う範囲を広げる（高める）と、ふすまの引き手金具まで被ってしまうことになり、ふすまの開閉に支障が出てしまっていた。また、ふすまの一部だけを被うため、意匠上好ましくなかった。ふすま全体を被う大きさにすると、構造的に見て非常に大型化してしまい、取り扱いが非常に面倒になってしまっていた。さらに、長期に渡って使用した場合にはカバーが下にずり落ちてしまい、ふすまの開閉に伴って異音が生ずる可能性もあった。このように様々な観点から見た場合、この技術は実用面で問題があった。
【特許文献１】公開実用新案公報  実開平６−４５０６１号
【０００７】
更に、近年では洋風の部屋が好まれることが多い。このため、カーテン、カーペットなどを用いて和風の部屋を洋風に装飾することが広く行われている。しかし、ふすまについてはそのままになっていた。
【０００８】
また、物品係止具には、以下のような問題があった。すなわち、ふすま等の引き戸の前位置に物品を掛けた場合、荷物の出し入れ、人が通る際に邪魔になる。このため、通常、フック等は引き戸の前には取り付けることを避ける。しかし、部屋の間取りによっては、フック等を取り付けるのに適当な壁面、位置がない場合もあった。このような場合にはフック等を使用することができず不便であった。
【０００９】
本発明は、ふすま、ドア等の引き戸を、保護、装飾等するための建具カバー、引き戸の保護および／または装飾方法を提供することを目的とする。
【００１０】
また、本発明は、引き戸への物品係止具および物品係止方法を提供することを目的とするものである。
【課題を解決するための手段】
【００１１】
本発明は上記目的を達成するためになされたものであり、第１の態様としては、引き戸に装着されて用いられる建具カバーにおいて、引き戸の側面の少なくとも一部を被うための被覆壁を少なくとも一つ備えて構成された被覆部材と、前記被覆部材が装着され且つ敷居および鴨居にはめ込まれた状態の引き戸を人が開閉させる際に、手で把持されあるいは手がかけられる持ち手部とを備えたことを特徴とする建具カバーが提供される。
【００１２】
この場合、前記被覆壁が前記引き戸の側面を覆い該側面から離間することがないように前記被覆部材を前記引き戸に装着する装着手段を備えることが好ましい。
【００１３】
引き戸に装着された状態において、前記被覆部材は、その一部が前記引き戸の上面に掛けられていてもよい。
【００１４】
前記被覆部材は、所定の展開形状のシート材を用いて構成されており、且つ、前記引き戸の上面に掛けられる上面対応領域と二つの前記被覆壁とを備え、二つの前記被覆壁は、前記展開形状において前記上面対応領域を介して互いにつながっていることが好ましい。
【００１５】
本発明の第２の態様としては、引き戸にかぶせられて該引き戸の側面の少なくとも一部を覆う被覆部材と、前記被覆部材がかぶせられ且つ敷居および鴨居にはめ込まれた引き戸を人が開閉させる際に、手で把持されあるいは手がかけられる持ち手部とを備えたことを特徴とする建具カバーが提供される。
【００１６】
前記被覆部材は、所定の展開形状のシート材を用いて構成されており、且つ、前記引き戸の上面に掛けられる上面対応領域と、前記展開形状において該上面対応領域を介して互いにつながった、引き戸の側面の少なくとも一部を被うための二つの被覆壁とを備えることが好ましい。
【００１７】
前述した第１および第２の態様においては、さらに以下のような構成を備えていてもよい。
【００１８】
前記被覆部材の少なくとも一部は、ポリオレフィン系樹脂を含んで構成されていることが好ましい。
【００１９】
前記被覆部材の少なくとも一部は、ポリプロピレンを含んで構成されていることが好ましい。
【００２０】
さらには、前記被覆壁の少なくとも一部は、厚さ0.1ｍｍ以上0.4ｍｍ以下であることが好ましい。
【００２１】
前記被覆壁の少なくとも一部は、厚さ0.2ｍｍ以上0.3ｍｍ以下であることがより好ましい。
【００２２】
前記持ち手部は、変形自在であることが好ましい。
【００２３】
前記持ち手部は、前記被覆壁に対する角度が変更自在であることが好ましい。
【００２４】
前記持ち手部は、柔構造であることが好ましい。
【００２５】
本発明の第３の態様としては、シート状の部材を引き戸の上端から掛けることで、該引き戸の側面を該部材によって覆うとともに、該部材を掛けた状態を保ったままで該引き戸を敷居および鴨居にはめて使用することを特徴とする引き戸の保護および／または装飾方法が提供される。
【００２６】
前記使用の状態において、前記部材には前記引き戸が開閉される際に人が手で把持されあるいは手が掛けられる持ち手部が設けられていることが好ましい。
【００２７】
前記引き戸の表裏両側において垂れ下がる前記部材を該引き戸の側端面部において互いに留めるか、あるいは、垂れ下がる該部材を側端面部において前記引き戸に留めることで、該部材が前記引き戸から離間することを防止することが好ましい。
【００２８】
本発明の第４の態様としては、引き戸の上面に固定され、且つ、該固定された状態において該引き戸の上面と鴨居との隙間に収容可能な形状の被固定基部と、前記被固定基部から連なって延びており、前記被固定基部が前記引き戸の上面に固定された状態において前記引き戸と前記鴨居との隙間を通って前記引き戸の側面側に延びた吊支部と、前記吊支部に設けられた、所望の物品が係止される係止部とを備えたことを特徴とする引き戸への物品係止具が提供される。
【００２９】
前記被固定基部を前記引き戸の前記上面に固定する固定機能部を有することが好ましい。
【００３０】
本発明の第５の態様としては、物品の一端を引き戸の上面に掛けあるいは固定するとともに、該引き戸を敷居および鴨居にはめることで該一端を該引き戸の上面と鴨居との隙間に位置させて、該物品を該引き戸に掛けることを特徴とする引き戸への物品係止方法が提供される。
【００３１】
本発明の第６の態様としては、引き戸の上面と鴨居との隙間に物品の一端を挟み込むことで、該物品を該引き戸に掛けることを特徴とする引き戸への物品係止方法が提供される。
【発明の効果】
【００３２】
本発明の建具カバー等によれば、ふすまなどの引き戸を、開閉時等の操作性を損なうことなく、汚れ、損傷から守ることが出来る。また、引き戸に装飾を施すことが出来る。取り扱いも容易である。
【００３３】
さらに本発明の物品係止具等によれば、引き戸に所望の物品を掛けることができる。
【発明を実施するための最良の形態】
【００３４】
本発明の実施形態を図面を用いて説明する。なお、各図においてはほぼ同様の機能を有する部分には同一の符号を付し、説明を省略する場合がある。
【００３５】
＜実施形態１＞
この実施形態はふすまを保護、装飾等する建具カバーである。本実施形態の建具カバーは、これを装着した状態のままで、ふすまを敷居（溝）および鴨居（溝）にはめ込んでそのまま使用することができることを主な特徴としている。以下、詳細に説明する。
【００３６】
本実施形態における建具カバー１の概要を図１および図２を用いて説明する。
【００３７】
図１は建具カバー１を示す斜視図、図２は建具カバー１をふすま１００に装着した状態を示す斜視図である。
【００３８】
この建具カバー１は、ふすま１００に装着されてこれを保護等するカバー部材２と、持ち手３とを備えて構成されている。
【００３９】
カバー部材２は、内部にふすま１００を収容するための空間が形成されている。また、底面は開口状態とされている（底部開口２５）。さらに、上端角部にも開口（上面端部開口２２）が形成されている。
【００４０】
この建具カバー１（実質的にはカバー部材２）をふすま１００にかぶせることでこれを保護等することができる。カバー部材２を構成する各壁は、十分に薄くされているため、建具カバー１が装着された状態のふすま１００を敷居および鴨居にはめ込んでそのまま使用することができる。
【００４１】
持ち手３は、カバー部材２の側面被覆部２３に設けられている。建具カバー１が装着された状態では、ふすま１００の引き手金具１０６はカバー部材２に覆われているため、手をかけることができない。そこで、使用者は引き手金具１０６に代わってこの持ち手３を持つことで、ふすま１００を開閉することができる。この持ち手３は、薄く且つ変形自在な素材で構成されている。使用にあたって、この持ち手３が他のふすま等と干渉して、ふすま１００の開閉（敷居溝に沿った移動）の妨げとなることはない。
【００４２】
このように建具カバー１を装着した状態でもふすま１００を通常通り使用することができる。
【００４３】
カバー部材２は、使用目的、流通経路での要求等に応じた必要十分な強度、柔軟性等を備えた材料で構成されている。従って、カバー部材２を構成する材料として適当なものを選択しておくことで、ふすま１００の汚れ、傷を防止できる。さらには、この建具カバー１を多目的に利用することができる。例えば、カバー部材２には、写真、絵などを貼ってもよい。さらには、画用紙、模造紙などを貼り付け、ペン等を用いてこれに絵を描くようにしてもよい。
【００４４】
次に、建具カバー１を構成する各部について更に詳細に説明する。
【００４５】
［１］カバー部材２
この実施形態においてはカバー部材２を、所定形状のシート材（フィルム材）を折り曲げることで構成している。本実施形態においてカバー部材２を構成するシート材４の展開状態を、図３に示した。
【００４６】
当然ながら、ふすまに装着した状態においてふすまのほぼ全体を覆うことができるように、各部の寸法は適用対象となるふすまのサイズに合わせて設計されている。そして、ふすまの角部に対応する位置には、折り曲げを容易にするために、折り曲げライン４１、折り曲げライン４２が形成されている。折り曲げライン４１、折り曲げライン４２に沿ってシート材４を折り曲げることで、図１に示した状態のカバー部材２とすることができる。この場合、２本の折り曲げライン４１に挟まれた領域４５が、上面被覆部２１（図１参照）を形成することになる。該領域４５の図における左右端部領域は切り欠かれており（切り欠き４３）、該領域４５の図における左右方向の長さは、ふすまの短辺の長さ（敷居の溝方向の長さ）よりも短くされている。これにより、組み立てられた状態においては、該切り欠き４３の部分が、上面端部開口２２を形成する。また、折り曲げライン４１と折り曲げライン４２とによって三方を囲まれた領域４６が、ふすま紙（化粧紙）を覆う側面被覆部２３を形成することになる。また、折り曲げライン４２よりも外側の領域４７Rf,Rb,Lf,Lbが、側端面被覆部２４を形成することになる。領域４７Rf,Rb,Lf,Lbは、それぞれが単独で側端面被覆部２４を構成する訳ではない。対になる他の領域４７と重なることで（例えば、領域４７Rfと領域４７Rbとが重なることで）、一つの側端面被覆部２４を構成する。同様に、領域４７Lfと領域４７Lbとが重なることで、また一つの側端面被覆部２４を構成する。
【００４７】
なお、これ以降においては領域４７Rf,Rb,Lf,Lbのそれぞれを特に区別する必要がない限りは、単に「領域４７」と総称し区別しないことがある。
【００４８】
領域４６（側面被覆部２３）の長さＨ（ふすまの高さ方向の長さ、図３参照）は、実際のふすまの高さよりもわずか（数ｍｍから数ｃｍ）に短くされている。従って、ふすまに装着した状態において、建具カバー１はふすまの上端から吊り下げられた（あるいは、上端に掛けられた）状態となる（図２参照）。カバー部材２の下端が敷居に触れることはない。
【００４９】
なお、この折り曲げライン４１，折り曲げライン４２は、製造工程において、シート材に圧力等を加えてこのライン部分だけ他の部分よりもわずかに薄くすることによって、あるいは、一度実際に曲げることによって曲げ癖を付けること等によって形成されたものである。ただし、形成の手法、および、具体的な形態はこれに限定されるものではない。シート材４が曲げやすくされていればどのような製法、形態であっても構わない。例えば、シート材４の片面側に浅い切れ目を施すことで形成してもよい。
【００５０】
このシート材４（すなわちカバー部材２）は、ふすま１００の汚れ防止および保護、さらには操作性等の観点からその素材および厚さが選定されている。さらにはこの建具カバー１の販売、流通過程での取り扱い等を考慮し、巻くこと（図８参照）が容易な素材および厚さが選定されている。
【００５１】
シート材４の具体的な材質としては、例えば、ポリオレフィン系樹脂を用いることができる。なかでも、価格、強度（破れにくさ）、汚れの付きにくさ、粘着剤の跡の残りにくさ、加工の容易さといった点を総合的に考えると、ポリプロピレンが特に好ましい。この場合、ふすまの保護に必要な強度、流通経路での取り扱い（特に巻き易さ）、ふすまの開閉を妨げないこと、といった観点を更に考え合わせると、このシート材は、厚さが約0.2ｍｍ以上約0.3ｍｍ以下であることが好ましい。
【００５２】
ただし、装飾用途でのみ使用するのであれば、さほど高い強度は必要でないため、さらに薄くても（例えば、約0.1ｍｍでも）構わない。しかし、あまりに薄くするとふすまへの装着、使用の際にしわ等ができやすい。また、装着状態において、外見上、側面被覆部２３に平坦さが損なわれる等、意匠性が低下しがちである。逆に、流通過程等での取り扱いの容易さを多少犠牲にしても構わない場合（例えば、専門業者によって取り扱われるような場合）であれば、ある程度厚くても（例えば、約0.4ｍｍでも）構わない。すなわち、様々な用途を考え合わせた場合、厚さ約0.1ｍｍ以上0.4ｍｍ以下程度のシート材について使用の可能性がある。
【００５３】
カバー部材２（ここでは、シート材４）は必ずしも単一の素材で構成されている必要はない。装飾性（例えば、着色性、模様等の形成の容易さ）、強度等をより高い次元で実現するため、複合材料化、多層化してもよい。例えば、ポリプロピレンを基材とし、その表面に印刷を施すようにしてもよい。さらには、印刷された絵柄等を保護するための保護層をさらに上から形成しておいてもよい。
【００５４】
シート材４は、必ずしも全ての領域が同じ材料および厚さで構成されている必要はない。領域ごとに、異なる材料、異なる厚さで構成しても構わない。
【００５５】
［２］持ち手３
持ち手３は、ふすまを開閉（敷居溝の長手方向についての移動）するためのものである。この実施形態における持ち手３は、カバー部材２とは別体として用意されており、カバー部材２の組み立て時等に所望の位置に取り付けるようになっている。
【００５６】
持ち手３は、図４に示すとおり、握り部３３と、基部３１とを備えて構成されている。
【００５７】
基部３１は、この持ち手３をカバー部材２へ取り付ける際に、持ち手３の全体を支える役割を果たす部分である。該基部３１は、ふすまの使用上の障害とならないように十分薄く構成されている。また、該基部３１には粘着剤（図中、符号３２を付した。）が塗布されており、この粘着剤３２によってカバー部材２へ固定されるようになっている。ふすまを開け閉めする際に加わる力によって、持ち手３が外れてしまうことがないように、基部３１の広さ、形状、さらには粘着剤の粘着力が十分検討されていることは言うまでもない。
【００５８】
握り部３３は、ふすまの開閉時に実際に人が手で握る部分である。握り部３３は、薄く且つ変形自在に構成されている。握り部３３にふすまがぶつかった場合、これに応じて握り部３３は、そのふすまを避けるように、変形しまた角度（姿勢）が変化する。従って、持ち手３の存在がふすまを開閉する際の障害となることはない。このように、ぶつかった相手（ふすま）を避けるように、形状等が自在に変化しうる構成を本出願においては「柔構造」と呼ぶ場合がある。握り部３３の形状および大きさ（例えば、幅、長さ）は、手による持ち易さを考慮して決定されている。
【００５９】
本実施形態における実際の持ち手３は、布等のように薄く変形自在な素材を基材としその片面に粘着剤を塗布したもの（いわゆる粘着テープ）、を図５のごとく折り曲げて部分的に貼り合わせることで構成されている。この構成では、先に述べた基部３１は、粘着剤が露出している領域の布（基材）によって構成されている。また、握り部３３は、自らの粘着剤によって互いに貼り合わせられている領域の布（基材）によって構成されている。粘着剤３２は、基部３１に相当する領域に塗布されている粘着剤によって構成されている。なお、基材としてシート材４と同様の素材を用いてもよい。この場合には、建具カバー１全体としての意匠上の統一感が高まる。
【００６０】
次に建具カバー１のふすま１００への装着作業について図６を用いて説明する。
【００６１】
まず、ふすま１００を敷居および鴨居からはずす。そして、このふすま１００の上面１０２に掛けるようにして、シート材４を覆い被せる（図６参照）。これにより、ふすま１００の上面１０２にはシート材４の領域４５（カバー部材２の上面被覆部２１）が被さった状態となる。また、ふすま１００のふすま紙１０５は、シート材４の領域４６（カバー部材２の側面被覆部２３）が覆った状態となる。
【００６２】
つづいて、各領域４７を、折り曲げライン４２に沿って折り曲げることで、ふすま１００の側端面も覆うことができる。このとき、ふすま１００の側端面は、表面側の領域４７Lf(Rf)と、裏面側の領域４７Lb(Rb)とが重なった状態となるため、このつなぎ目部分を粘着テープでとめる（図７参照）。表面側の領域４７Lf(Rf)と裏面側の領域４７Lb(Rb)とが重なって、側端面被覆部２４を構成する。この粘着テープは、領域４７を留めているだけであり、ふすま１００に直接貼り付けられるわけではない。従って、この粘着テープによってふすまが傷むことはない。また、後述するとおり、この粘着テープを剥がさなくても、建具カバー１００を容易にふすま１００から取り外すことができる。ここまでの作業によって、ふすま１００を覆った状態でカバー部材２が完成する。すなわち、カバー部材２（建具カバー１）をふすま１００に被せて覆うことができる。なお、ここで使用する粘着テープ（図７）は、カバー部材４とは別に予め用意されたものであるが、この建具カバー１の購入者自身が別途用意するようにしてもよい。
【００６３】
この後、持ち手３を側面被覆部２３の所望の位置に取り付ける（図１参照）。取り付けは、基部３１に設けられた粘着剤３２によって行う。
【００６４】
以上のようにして建具カバー１の組み立ておよび装着を一括して行うことができる。なお、持ち手３は必ずしもカバー部材２をふすま１００に被せてから行う必要はない。ふすま１００に被せる前に先にカバー部材２へ取り付けておいても構わない。
【００６５】
この後は、建具カバー１を装着したままの状態で、ふすま１００を敷居および鴨居にそのままはめる。なお、先に述べた、つなぎ目部分の粘着テープによる固定（図７）および持ち手３の取付は、ふすま１００を敷居および鴨居に戻した後で行ってもよい。
【００６６】
カバー部材２を構成するシート材４は十分薄いため、建具カバー１を装着したままの状態であってもふすま１００の開け閉めに何ら問題はない。また、柔構造の持ち手３を採用しているため、この持ち手３が他のふすまと干渉しふすまの開け閉めの邪魔になることもない。すなわち、握り部３３にふすまがぶつかった場合、これに応じて握り部３３は、そのふすまを避けるように、変形しまた角度（あるいは姿勢）が変化する。持ち手３の存在がふすまを開閉する際の障害となることはない。
【００６７】
カバー部材２の表面は平坦であるため、このような持ち手３がない場合にはふすま１００の開け閉めが容易ではない。特にふすま１００を完全に閉めた状態（特に、柱に接した状態）では、柱とふすま１００の間に指が入らないため、開くのが非常に困難である。この実施形態ではこの持ち手３を設けたことで、ふすまを開閉する上で何らの不都合もなくこれまでと同様に使用することができる。
【００６８】
ふすま１００は、建具カバー１によって保護、装飾等される。例えば、本実施形態のカバー部材２を構成するシート材４は、厚さ０．２ｍｍのポリプロピレン製シートであるが、このような材料および厚さのシート材単独（背面側になにもない状態）では、シャープペンシル、ボールペンなどのように先の尖ったもので局部的に強く押された場合には破れてしまう可能性もある。しかし、ふすま１００へ装着された状態では、シート材４の背面がふすま１００によって支えられた状態となるため、この状態ではシート材単独の状態（背面側になにもない状態）に較べて強度的に高まる。したがって、幼児などが絵を描こうとして、ボールペンなどをカバー部材２（シート材４）へ強く押しつけても、ふすま１００（特に、ふすま紙）に傷が付くことはない。また、本実施形態のカバー部材２（シート材４）は十分に柔軟であるため、装着作業などの際に建具カバー１自体によってふすま１００が傷つく可能性もない。また、ポリプロピレンは、水性、油性を問わず、インクなどを通さないため、フェルトペン、マーカー、絵の具などがふすまに付着することはない。さらに、建具カバー１００には、粘着剤等を用いてポスター等を貼ってもよい。ポリプロピレンは、その性質上、粘着テープの後も残りにくい。このため、後日、粘着剤が付着して外見上汚くなることもない。
【００６９】
カバー部材２（シート材４）に様々な着色を施しておけば、意匠面でも優れる。様々な絵柄などを形成しておけばより装飾性が高まる。
【００７０】
ふすまに装着された状態において建具カバー１はふすまの上端から吊り下げられた状態（あるいは、掛けられた状態）となっており、カバー部材２の下端が敷居に触れることはない。そのため、ふすまの開け閉めに伴って建具カバー１の下端が敷居に擦れて、敷居を傷つけたり、不快な音がすることはない。建具カバー１がずり落ちたりすることもなく、初期の装着状態が長期に渡って安定して保たれる。
【００７１】
来客などの際には一時的に建具カバー１をはずしたい場合もある。このような場合には、まず、ふすま１００を敷居および鴨居からはずす。そして、そのまま建具カバー１を上方に引き抜けば、建具カバー１をふすま１００から取り外すことができる。側端面被覆部２４を留めていた粘着テープなどをわざわざ剥がす必要はない。この場合、上面端部開口２２を通じて建具カバー１内の空間へと空気が流入するため、この作業は容易である。建具カバー１はそのままの状態で一時的に倉庫等に収納しておけばよい。人の通らない廊下等の壁に立て掛けておいてもよい。
【００７２】
一時的にはずしていた建具カバー１を再度ふすまに装着するには、ふすま１００の上面を、底部開口２５から建具カバー１内へと挿入してゆく。この場合にも、上面端部開口２２を通じて建具カバー１内の空気が外部へと流出するため、側端面被覆部２４を閉じたままの状態でもこの作業は容易である。
【００７３】
なお、一時的に取り外す場合でも側端面被覆部２４を留めていた粘着テープを剥がして作業を行っても構わないことは言うまでもない。この場合、再装着の際には当初と同様に改めて粘着テープで留めることになる。
【００７４】
建具カバー１の使用をやめる場合（あるいは長期に渡って使用しない場合）には、側端面被覆部２４を留めていた粘着テープを剥がすことで、カバー部材２（シート材４）をふすまから外し、元の展開状態（図３参照）に戻すことができる。持ち手３については必要に応じて、シート材４から取り外す。この状態でシート材４を巻いておけばコンパクトになるため、倉庫、押入等に保存する際にも嵩張ることがない（図８参照）。
【００７５】
最後に本実施形態の建具カバー１の流通経路での取り扱い等について述べる。
【００７６】
カバー部材２を構成するシート材４は、柔軟であるため、容易に円筒状に巻いておくことができる（図８参照）。シート材４を円筒状に巻いておくことで、流通、販売などの過程においての取り扱いも容易である。この実施形態では、２つの領域４６（側面被覆部２３）が、領域４５（上面被覆部２１）を介してつながった状態に展開しているため、この円筒の長さ（図３および図８に長さｗとして示した）がふすま１００の化粧面（ふすま紙）の短辺と同程度にしかならない。従って、取り扱いがさらに容易である。なお、これ以外の展開状態、例えば、２つの領域４６（側面被覆部２３）が、領域４７（側端面被覆部２４）を介してつながった状態とすることも不可能ではない。ただし、この場合には円筒状に巻いた場合、この円筒がふすまの高さと同程度にまで長くなってしまい、流通販売などの過程での取り扱い性に劣る。
【００７７】
以上説明したとおり本実施形態の建具カバー１によれば、ふすまの使用を妨げることなく、これを保護等することができる。カバー部材２は、一般的なふすま紙に比べて十分丈夫であるため、部屋の模様替え、引っ越し作業時等におけるふすまの保護にも最適である。ふすまを搬送等する際の保護にも有用である。さらには、より積極的に建具カバー１をポスター等を貼るためのスペースとして利用することも可能である。
【００７８】
ふすまへの装着作業は手軽であり、一旦完成させた後でも、ふすまからの一時的な取り外し、再装着が容易である。この作業は、上面端部開口２２を設けたことで、より容易なものとなっている。従って、来客、引っ越し等の際にはいつでも、ふすまを即座に元の状態に戻すことができる。ふすまを傷めることもない。長期に渡って使用しない場合には、巻いておけばコンパクトになるため、押入等に収納しておくことができる。
【００７９】
上面端部開口２２を設けたことで、カバー部材２内に湿気がこもらない。従って、長期間にわたって使用してもカビが発生する等してふすまを傷めることがない。押入などのふすまに用いる場合（すなわち、片面だけの保護で足りる場合）には、裏面側の側面被覆部２３も開口を形成すれば、湿気のこもりをより確実に防止できる。
【００８０】
建具カバー１には、ポスター、絵、写真等を貼ることができるため、家庭内における作品の展示場として用いることもできる。貼り付けた絵等は、建具カバー１とともに長期保存が可能である。ふすまに装着された建具カバー１に模造紙などを貼り付け、ここに絵を描いてもよい。本実施形態のカバー部材２（シート材４）であっても、これ単独の状態では、ボールペン等で局部的に強く押すと破れる可能性もある。しかし、実際の使用状態においては、シート材４の後ろにふすまが存在することで、必要十分な強度を発揮しうる。幼児がペン等で突くような状況を想定した場合には、実際の使用状態で十分な強度が備わっていることが必要である。ただし、使用目的に応じて、必要とされる強度は異なる。例えば、洋風の部屋を実現するため等の単なる室内装飾用としては、もっと薄くてもよい。この場合には、シート材４の材質には、強度よりも装飾性を重視した材料の選択をすることができる。
【００８１】
本実施形態では、持ち手３に柔構造を採用しているため、他のふすまのじゃまにならない。つまり、柔構造の持ち手３は他のふすまとぶつかっても自在に変形するため、該持ち手３の存在がふすまの開閉を妨げることがない。
【００８２】
持ち手３はカバー部材２とは当初別体に構成されているため、組み立て時に所望の高さ位置に取り付けることができる。このため、用途、使用者に応じて最適な位置に持ち手３を取り付けることができる。必要に応じて追加設置してもよい。また、当初からシート材４に持ち手３を取り付けていたのでは、市場での流通の過程においてシート材４を巻いた状態にしておくのに障害となる可能性がある。例えば、シート材４を小さく（小径に）巻くことが困難であり、無理に巻くと持ち手３のシート材４からの剥離、シート材４へのしわ等が生じるおそれがある。ただし、持ち手３等が十分な弾性を備えた材料で構成されている場合、あるいは比較的小型である場合等には、このような問題が生じる可能性は少ないので、当初からシート材４に取り付けていても構わない場合もある。また、持ち手として後述する別の構成を採用している場合にもシート材４に当初から取り付けていても構わない場合もある。
【００８３】
表裏両側の持ち手を図９のごとく一体化してもよい。図９に示した持ち手３’は、２つの持ち手３を一体化したものである。このような持ち手３’では、表面側の持ち手と裏面側の持ち手とを一体化しているため、基部３１’がふすま１００の側端面を回り込むようにして取り付ける（図９参照）。基部３１’は薄いため、ふすまを閉めた時に柱との間に実用上問題となるほどの隙間が残ることはない。このような形態の持ち手３’は領域４７を留める役割も兼ねるため、側端面被覆部２４の固定がより丈夫になる。
【００８４】
持ち手の更に別の構成例を図１０に示した。この図の例では、布等の柔軟且つ薄い素材で構成された一本の帯状部材３５を用いて持ち手３”を構成している。カバー部材２の側端面被覆部２４を回り込むように帯状部材３５をカバー部材２に取り付け、これを持ち手３”とする（図１０参照）。帯状部材３５には、その両端部領域にだけ粘着剤が塗布されている（粘着部３６）。取付は、この粘着部３６によって行う。この場合、帯状部材３５とカバー部材２との間に手を入れることが出来るようにするため、帯状部材３５は十分ゆるんだ状態にしておく。これは粘着部３６の取り付け位置を適当に選択することで可能である。このようにしておくことで、帯状部材３５の全長のうち、粘着部３６以外のほぼ全ての領域が握り部３３に相当する役割を果たすことができる。使用者はふすま１００に被せられているカバー部材２と持ち手３”との間に手を入れることで、持ち手３”に手をかける。この持ち手３”は、構造が単純で低コストで製造できる。また、構造上必ずしも指で「握る」必要がない。単に、カバー部材２と持ち手３”との間に単に手を入れた状態で腕を動かすだけでふすまを開閉できるため、手をかけやすく操作性に優れる。指の力の小さい子供でも容易にふすまを開閉できる。この帯状部材３５の各所に穴を形成し、この穴に指を入れることで持つようにしてもよい。
【００８５】
本実施形態の建具カバー１、特にカバー部材２（シート材４）の展開形態では、先に述べたとおりコンパクトに巻くことができる。つまり、本実施形態のような展開形態（図３）を採用することで、流通、販売過程における取り扱いが容易となる。
【００８６】
本実施形態の変形例として以下のような構成を取ることも可能である。
【００８７】
持ち手の形態および取付位置は上記実施形態に示した例に限定されるものではない。持ち手の握り部３３は、ひも状に構成してもよい。本実施形態では全ての持ち手３について柔構造を採用していたが、必ずしも全ての持ち手に柔構造を採用する必要はない。他のふすまとぶつかることがない側、つまり、他のふすまと面することがない側に取り付ける持ち手については柔構造でなくてもよい。
【００８８】
持ち手のさらに別の形態としては、カバー部材に凹部（あるいは開口）を形成しておき、この凹部（あるいは開口の縁部分）に手を掛けるようにしてもよい。なお、この凹部等は、ふすまの引き手金具に対応する位置に形成してもよい。この場合には、このシート材の上から（あるいは開口を通じて）ふすまの引き手金具に手をかけて、ふすまを開閉させることができる。このような構造を採用した場合には、持ち手およびその周辺がほとんど出っ張っておらず、そもそも他のふすまとぶつかることがないため、上述した柔構造を採用する必要はない。
【００８９】
本実施形態では部屋のしきりに用いることを前提にして、持ち手３をカバー部材２の表裏両側に設けていた。しかし、押入などに用いる場合には、表面側にだけ設けてもよい。
【００９０】
シート材４自体が不透明である場合には、シート材４自体の表面と裏面とで、互いに異なった意匠（色、模様）にしておいてもよい。このようにすれば、好みに応じてシート材４自体の表面と裏面とを使い分けることで、異なった装飾効果が得られる。さらには、押入のふすまへの使用を前提としている場合、すなわち、カバー部材２の表側の側面被覆部２３と裏側の側面被覆部２３とのいずれか一方だけしか人の目に触れることがない場合には、表側の側面被覆部２３と裏側の側面被覆部２３とで異なった意匠にしてもよい。
【００９１】
上記実施形態では、カバー部材２（シート材４）の材質としてポリオレフィン系樹脂、特にポリプロピレンを用いていた。しかし、材質はこれに限定されるわけではない。これ以外にも、例えば、塩化ビニル、アクリル、ナイロン、ポリエチレン、ポリスチレン、ポリカーボネート、ポリ塩化ビニル、ＰＥＴ、ＥＶＡ等についても使用の可能性がある。
【００９２】
本実施形態では、別途用意した粘着テープを用いて側端面被覆部２４（シート材４の領域４７）を留めていたが（図７）、留め方はこれに限定されるものではない。例えば、領域４７の所定の領域（他方の領域４７と対向する面）に予め粘着剤を塗布しておき、これによって留めるようにしてもよい。さらに別の方法として、領域４７の形状を工夫することで留めるようにしてもよい。つまり、いずれか一方の領域４７にくさび等の形状にするとともに、他方の領域４７に穴を形成しておき、両者を係合させることで、閉じてもよい（図１１参照）。
【００９３】
本実施形態では、ふすまの角部に対応する位置に折り曲げライン４２等を設け、シート材を容易に折り曲げることができるようにしていた。しかし、ふすま、引き戸のサイズは、様々である。そこで、各位置において、所定の間隔で複数本の折り曲げラインを設けておいてもよい。例えば、図１２に示した例は、図３における右側の折り曲げライン４２を、折り曲げライン４２ａ，ｂ，ｃの３本に複数本化した例である。このような構成では、その時適用対象となっているふすまに最適な折り曲げラインを選択し、当該折り曲げラインの位置で折り曲げることができる。このようにすれば一つの建具カバーの適用可能なふすまの寸法範囲が広くなる。図１２の例では、右側の折り曲げラインだけを複数本化しているが、左右両側の折り曲げラインについて複数本化してもよい。このようにすれば適用可能な寸法範囲がより広くなる。
【００９４】
特許請求の範囲においていう「被覆壁」とは、この実施形態１においてはカバー部材２の側面被覆部２３に相当する。「被覆部材」とは、カバー部材２に相当する。「引き戸の側面」とは、ふすま１００における、側面被覆部２３によって被われる面に相当する。「持ち手部」とは、持ち手３に相当する。「装着手段」は、シート材４とは別体に予め用意された（あるいは、使用者が別途用意した）粘着テープによって実現されている。また、この「装着手段」は、変形例として述べた例においてはシート材４の領域４７に塗布される粘着材、さらには図１１の構成例においては領域４７に設けられたくさび等の形状として実現されている。「上面対応領域」とは、シート材４における領域４５に相当する。「シート状の部材」とは、シート材４に相当する。「側端面部」とは、ふすま１００における、領域４７（側端面被覆部２４）によって被われる部分に相当する。
【００９５】
＜実施形態２＞
本実施形態の建具カバーは、ふすまの２つある側面のうち主に一方だけを覆うようにした点が実施形態１と異なる。
【００９６】
本実施形態におけるカバー部材を構成することになるシート材の展開状態を図１３に示した。この図に示すとおり、本実施形態のシート材は、実施形態１のシート材（図３）と比べて、側面被覆部２３を構成することになる領域４６を一つしか備えていない点が異なる。また、これに伴って、領域４７Rb,Lbもなくなっている。そして、これらに代わって、領域４７の更に外側に折り返し領域２７が、また、省略された領域４６の存在していた位置に折り返し領域２６が設けられている。これら折り返し領域２６，２７は、装着された建具カバーがふすまから不用意に外れることを防止するためのものである。
【００９７】
この建具カバーのふすまへの装着は以下のようにして行う。まず、領域４５（上面被覆部２１）をふすまの上面１０２に掛ける。当然、領域４６（側面被覆部２３）は、ふすまの化粧面の側に位置させる。
【００９８】
つづいて、この状態で、折り返し領域２６，２７を折り曲げて、これらの部分をふすま１００の裏面側に回り込ませる（図１４参照）。この状態で、粘着テープなどを用いてこの折り返し領域２６，２７をふすまに固定する。ふすま外周の枠体１０１には一般に塗りが施されている。したがって、粘着テープはこの枠体１０１にだけ貼るようにすれば、粘着テープのあとが残りにくい。
【００９９】
なお、このときの固定の仕方については粘着テープを用いた方法に限定されるものではない。ふすまの裏面側において、左右の折り返し領域２７同士を、ベルト、ゴム紐などで繋ぐことも考えられる。この他にも、折り返し領域２７等の裏面に粘着剤を塗布しておき、この粘着力によってふすまに固定するようにしてもよい。
【０１００】
この実施形態の建具カバーは、主にふすまの片面だけしか覆わないものの、折り返し領域２６，２７を備えたことによってふすまから外れにくい。
【０１０１】
最後に、所望の位置に持ち手を取り付ける。持ち手については実施形態１と同様であるため説明を省略する。持ち手を取り付けるタイミングが、ふすまへの装着後に限定されない点も同様である。
【０１０２】
ふすまには、押し入れのふすまのように片面だけに化粧紙（ふすま紙）が貼られているものもある。この実施形態２の建具カバーはこのようなふすまへの適用に最適である。
【０１０３】
本実施形態の建具カバーを２つ組み合わせることで、ふすまの表面側と裏面側とで異なったデザインにすることもできる。購入者が自由に組み合わせることで、両面のデザインを任意に組み合わせることができる。このような使い方を想定した場合には、折り返し領域２６，２７を省略してもよい。これは、折り返し領域２６，２７が見えると意匠上好ましくないからである。折り返し部領域２６，２７を当初からなくすのではなく、必要に応じて購入者が切り取ることができるようにしてもよい。
【０１０４】
この実施形態でも実施形態１と同様に、建具カバー全体をふすまの上面から吊すような構成を取っていた。しかし、建具カバーが十分軽い場合には、粘着テープだけでもその重量を支えることも不可能ではない。従って、場合によっては、領域４５（上面被覆部２１）および折り返し領域２６を省略する事も考えられる。
【０１０５】
＜実施形態３＞
本実施形態の建具カバーでは、カバー部材が上端を開口にした筒状に構成されている。本実施形態におけるカバー部材を構成することになるシート材の展開状態を図１５に示した。図１５に示したとおり、本実施形態の展開形態では、側面被覆部を構成する領域５６が、側端面被覆部を構成する領域５７を介してつながっている。また、その両端には、互いに重なることで、他の側端面被覆部を構成することになる領域５８a,bが設けられている。
【０１０６】
カバー部材を構成する材料、持ち手等については他の実施形態と同様である。
【０１０７】
ふすまへの装着は、このカバー部材をふすまに側面側から巻き付け、この状態で粘着テープによって固定することで行う。
【０１０８】
この実施形態では持ち手を備えているため、ふすまの化粧面全体を被うことが出来るほどに建具カバーを大型化してもふすまの開閉に支障が出ることはない。
【０１０９】
＜実施形態４＞
本実施形態の建具カバーでは、カバー部材が、ふすまの一つの側面（化粧面）を覆うことのできる単なる一枚の長方形状のシートとして構成されている。本実施形態におけるカバー部材を図１６に示した。
【０１１０】
カバー部材を構成する材料、持ち手等については他の実施形態と同様である。
【０１１１】
ふすまへの装着は以下のようにして行う。すなわち、このカバー部材をふすまの側面に重ね合わせる。次に、この状態で、このカバー部材の外周部分を、粘着テープによって、ふすまの外周枠体に装着固定する。
【０１１２】
なお、カバー部材の裏面側外周部分に粘着剤を予め塗布しておいてもよい。この場合には、粘着テープに代わって、この粘着剤によってふすまの外周枠体に固定する。
【０１１３】
この実施形態ではカバー部材が非常に単純かつ小面積のシート材で構成できるため、低コストで作成できる。
【０１１４】
＜実施形態５＞
本実施形態は、様々な物品をふすまにかけるための物品係止具である。
【０１１５】
図１７に示すとおりこの物品係止具２００は、薄い板状に構成された固定部２０１と、該固定部２０１から延びた吊支部２０３と、吊支部２０３に設けられた係止部２０４とを備えて構成されている。
【０１１６】
この物品係止具２００の使用方法および詳細を説明する。
【０１１７】
まず、この物品係止具２００をふすま１００の上部に取り付ける（図１８参照）。固定部２０１の下側面には粘着剤が塗布されている（図中符号２０２を付した。以下、「粘着部２０２」と記す）。取付は、粘着部２０２の粘着力によって固定部２０１をふすま１００の上面１０２に固定することで行う。
【０１１８】
次に、この物品係止具２００が取り付けられたふすま１００を、敷居および鴨居にはめ込む。固定部２０１および吊支部２０３は、ふすま１００と鴨居（鴨居溝内壁）とのわずかな隙間Ｓに収まるほどに十分に薄く構成されている（図１９参照）。また、その幅も鴨居溝よりも狭くされている。このため、ふすま１００を鴨居にはめ込んだり、また、ふすま１００を開閉する際に、物品係止具２００の存在が障害になることはない。なお、ここで言う隙間Ｓとは、ふすま１００の上面と鴨居溝の天面との隙間と、ふすま１００の上部側面と鴨居溝内側壁との隙間との両方を含む。
【０１１９】
この状態において、吊支部２０３は、固定部２０１によって支えられ、ふすま１００の上端側から下方に延びている。使用者は、この吊支部２０３に設けられた係止部２０４に所望の物品（例えば、バッグ、状差し）を掛けることができる。
【０１２０】
ふすま１００を開閉した場合、物品係止具２００およびこれに掛けられている物品３００もふすま１００と共に移動することになる（図２０参照）。従って、例えば、押入等に荷物を出し入れする場合でも、この物品係止具２００に掛けられた物品３００が作業の邪魔になることはない。
【０１２１】
本実施形態では、固定部２０１のふすま１００への固定を粘着部２０２の粘着力によって行っていた。この固定をより確実にするためには、例えば、固定部２０１にピンを設け、このピンをふすまの上面に差すことで固定するようにしてもよい。なお、このピンは必ずしも固定部２０１と一体に構成されている必要はない。ピンと固定部２０１とを別体に構成してもよい。さらには使用者が別途用意した両面テープ、ピン等を用いて固定するようにしてもよい。この場合には、固定するための構成部分（この実施形態では粘着部２０２）を物品係止具２００自体に予め備えている必要がなくなる。
【０１２２】
この物品係止具２００全体が、係止部２０４に掛けられることが想定される物品の重さに耐えるに十分な強度を備えていることは云うまでもない。このような物品係止具２００は、プラスチック、金属などで構成可能である。
【０１２３】
固定部２０１等は必ずしも硬質の材料で構成されている必要はない。それ自体が必要十分な強度を備えており、且つ、ふすま上部への固定が十分な強度をもって行われているのであれば、柔軟なシート材などで構成することも可能である。このような構成例を図２１に示した。図２１に示した例においては、固定部２０１ａおよび吊支部２０３ａは、ポリプロピレン製のシート材で構成されている。固定部２０１ａと吊支部２０３ａとの境界には、折り目（図中、点線で描いた）が形成されている。また、係止部２０４ａは、吊支部２０３ａの下端に設けられた開口穴として構成されている。使用時には、固定部２０１ａを粘着部２０２ａによってふすま上面に固定した状態において、吊支部２０３ａを折り目から下側に折り曲げる。これにより、吊支部２０３ａはふすまと鴨居との隙間を通って下方に延びた状態（図１９のような状態）とすることができる。なお、ここでのシート材の材料としては、実施形態１におけるシート材と同様の様々な素材の使用可能性がある。
【０１２４】
固定部２０１が硬質の材料で構成されているのであれば、ふすま１００を敷居等にはめ込んだ状態において（図１９）、固定部２０１がこのふすま１００と鴨居との狭く且つ屈曲した隙間Ｓを通って落下することがない。このため、場合によっては、粘着部２０２を省略することも不可能ではない。
【０１２５】
以上説明したとおりこの実施形態の物品係止具によれば、ふすまを（少なくとも、外見上目立つ部分を）傷つけることなく、物品をふすまから掛け下げることができる。部屋の間取りに起因して部屋の壁面が少ない場合などに有用である。
【０１２６】
上述した例では係止部２０４をフック状（図１７）あるいは開口穴（図２１）に構成していた。しかし係止部２０４の具体的構成は、これに限定されるものではなく、これ以外にもポケット等様々な形態が考えられる。
【０１２７】
この実施形態５は他の物品を吊り下げる（掛ける）ための物品係止具であった。しかし、物品によっては、同様の手法を用いてその物品自体を、直接、ふすまに掛けることも可能である。例えば、物品が紐を含んで構成されているような場合には、この紐を上述の固定部２０１等と同様の機能部分として利用することで、その物品をふすまから直接吊り下げることが考えられる。
【０１２８】
特許請求の範囲においていう「隙間」とは、本実施形態においては隙間Ｓに相当する。「被固定基部」とは、固定部２０１に相当する。「吊支部」とは、吊支部２０３に相当する。「係止部」とは、係止部２０４に相当する。「固定機能部」とは、粘着部２０２、また、別の構成例においては、ピン等によって実現されている。請求項１９および２０における「物品」とは、カバン等の一般的な物品のみならず、実施形態で示した物品係止具自体をも含む概念である。
【０１２９】
上述した各実施形態では、ふすまを例にとって述べたが、本発明の適用対象は、ふすまに限定されるわけではない。板戸等の引き戸一般にも適用可能である。一端に設けられた蝶番（ヒンジ）を中心として回転するいわゆるドアにも適用可能である。この場合には、ドアノブに対応する部分を切り欠いておくことになる。材質、厚さを適当に選択することで、障子にも適用可能である。
【０１３０】
上述した各実施形態では、下側において引き戸を案内する機構として、引き戸の走路となる溝が形成された敷居を例にとって述べてきた。しかし、引き戸を案内する機構はこれに限定されるものではなく、金属製のレールを設け、これによって引き戸を案内するようにしてもよい。本出願（特に特許請求の範囲）においていう「敷居」とはこのような構成をも含む概念である。
【０１３１】
上述した各実施形態では取り外し、再装着等を可能とするため、各部の固定に粘着剤、粘着テープ等を主に用いていた。しかし、取り外し、再装着等を考慮する必要がないのであれば、接着剤等を用いて固定等してもよい。
【０１３２】
本発明を実施するに当たっては、上述した実施形態に示した構成のすべてを備えている必要はない。必要に応じて、適宜所望の構成を組み合わせて、あるいは、必要な構成のみを選択して備えるようにしてもよい。
【図面の簡単な説明】
【０１３３】
【図１】建具カバー１の全体を示す斜視図である。
【図２】建具カバー１をふすま１００に装着した状態を示す斜視図である。
【図３】シート材４の展開図である。
【図４】持ち手３の拡大斜視図である。
【図５】本実施形態における具体的な持ち手３の構造を模式的に示した断面図である。
【図６】シート材４（カバー部材２）の装着方法を示す図である。
【図７】シート材４の領域４７（側端面被覆部２４）を粘着テープによって留める様子を示した図である。
【図８】シート材４を巻く様子を示す図である。
【図９】表裏両側の持ち手を一体化した持ち手３’を取り付けた状態を示す図である。
【図１０】表裏両側の持ち手を一体化した更に別の持ち手３”を取り付けた状態を示す図である。
【図１１】側端面被覆部２４の留め方が異なる変形例を示す図である。
【図１２】シート材の変形例を示す図である。
【図１３】本発明の実施形態２におけるカバー部材の展開状態を示す図である。
【図１４】実施形態２の建具カバーをふすまに装着している様子を示す部分的な斜視図である。
【図１５】本発明の実施形態３におけるカバー部材の展開状態を示す図である。
【図１６】本発明の実施形態４におけるカバー部材の展開状態を示す図である。
【図１７】本発明の実施形態５の物品係止具２００を示す斜視図である。
【図１８】物品係止具２００をふすま上部に取り付けた状態を示す部分的な斜視図である。
【図１９】物品係止具２００が取り付けられたふすまを敷居にはめ込んだ状態を示す模式図である。
【図２０】物品係止具２００およびこれに掛けられた物品が、ふすまと共に移動する様子を示した図である。
【図２１】実施形態５の変形例を示す斜視図である。
【符号の説明】
【０１３４】
１  建具カバー
２  カバー部材
３  持ち手
４  シート材
２１  上面被覆部
２２  上面端部開口
２３  側面被覆部
２４  側端面被覆部
２５  底部開口
２６  折り返し領域
２７  折り返し領域
３１  基部
３２  粘着剤
３３  握り部
３５  帯状部材
３６  粘着部
４１  折り曲げライン
４２  折り曲げライン
４３  切り欠き
４５  領域
４６  領域
４７  領域
５６  領域
５７  領域
５８  領域
１００  ふすま
１０１  枠体
１０２  上面
１０５  ふすま紙
１０６  引き手金具
２００  物品係止具
２０１  固定部
２０２  粘着部
２０３  吊支部
２０４  係止部
３００  物品
【図１】
2005179932.tif 000003
【図２】
2005179932.tif 000004
【図３】
2005179932.tif 000005
【図４】
2005179932.tif 000006
【図５】
2005179932.tif 000007
【図６】
2005179932.tif 000008
【図７】
2005179932.tif 000009
【図８】
2005179932.tif 000010
【図９】
2005179932.tif 000011
【図１０】
2005179932.tif 000012
【図１１】
2005179932.tif 000013
【図１２】
2005179932.tif 000014
【図１３】
2005179932.tif 000015
【図１４】
2005179932.tif 000016
【図１５】
2005179932.tif 000017
【図１６】
2005179932.tif 000018
【図１７】
2005179932.tif 000019
【図１８】
2005179932.tif 000020
【図１９】
2005179932.tif 000021
【図２０】
2005179932.tif 000022
【図２１】
2005179932.tif 000023